(57)【要約】  【課題】使用中の携帯型電子機器とベルトクリップ部材等の付加部材とが外れ難い構造の取り付け構造を提供すること。  【解決手段】本発明では、携帯型トランシーバ１等の携帯型電子機器の本体と、該本体に着脱可能なベルトクリップ部材２等の付加部材との取り付け構造において、前記本体には断面形状がＴ字状のレール部３を形成するとともに、前記レール部３の両外側に、前記レール部に沿った壁面32ａ，32ｂを形成し、前記付加部材には前記レール部と前記壁面との間に嵌まりこんだ状態でスライド可能なスライド部４を形成し、取り付け状態においては、前記レール部３と前記壁面32ａ，32ｂとで前記スライド部４の内側と外側とが支持されるように構成した。【選択図】      図３
2005214332.tif 000002
【特許請求の範囲】
【請求項１】
携帯型電子機器の本体と該本体に着脱可能な付加部材の取り付け構造において、
前記本体には断面形状がＴ字状のレール部を形成するとともに、前記レール部の両外側に、前記レール部に沿った壁面を形成し、
前記付加部材には前記レール部と前記壁面との間に嵌まりこんだ状態でスライド可能なスライド部を形成し、
取り付け状態においては、前記レール部と前記壁面とで前記スライド部の内側と外側とが支持されるように構成したことを特徴とする付加部材の取り付け構造。
【請求項２】
携帯型電子機器の本体と該本体に着脱可能な付加部材の取り付け構造において、
前記本体には断面空間の形状がＴ字状のレール部を形成し、
前記付加部材には断面形状がＴ字状で前記レール部に嵌合し得るスライド部と、
該スライド部の両外側に、前記レール部に沿った壁面を形成し、
取り付け状態においては、前記スライド部と前記壁面とで前記レール部の内側と外側とが支持されるように構成したことを特徴とする付加部材の取り付け構造。
【発明の詳細な説明】
【技術分野】
【０００１】
本発明は、携帯型電子機器と、該機器に着脱可能な付加部材との、取り付け構造に関するものである。
【背景技術】
【０００２】
従来より、例えば携帯型トランシーバの背面にベルトクリップ部材を取り付ける構造としては、ネジ等を用いて固定する方法と、トランシーバ側に設けたガイド用のブリッジに、ベルトクリップの溝を差し込んで嵌合する方法がある。
前者の固定する方法では、着脱の度にドライバー等の工具を要するという問題があるので、着脱を容易にするためには、後者の方法が好ましい。
後者の方法を採用した構造としては、特公昭61-16845号公報（特許文献１）に開示されたものが知られている。
【０００３】
【特許文献１】特公昭61-16845号公報
【発明の開示】
【発明が解決しようとする課題】
【０００４】
前記特許文献１に記載された構造では、無線機の背面に取り付けた実装クリップを衣服に取り付けて使用中に、無線機と実装クリップとの間の取り付け構造に、ねじれ方向の外力が加わったときには、前記取り付け構造が破壊されて、無線機が衣服から脱落してしまう危険性があった。
即ち、前記実装クリップと無線機との取り付け構造においては、前記実装クリップの先端方向と両側方向は保持用ブリッジで規制されているが、後方はフィンガー部材と鋸歯状突起との噛み合いだけで係止されているので、前記取り付け構造にねじれ方向の外力が加わった場合には、前記取り付け構造が破壊されて、もしくは係合が解除されて、無線機が衣服から脱落してしまう危険性があった。
【０００５】
そこで、本発明は、使用中の携帯型電子機器と付加部材とが外れ難い構造の取り付け構造を提供することを目的としてなされたものである。
【課題を解決するための手段】
【０００６】
本発明にかかる付加部材の取り付け構造の請求項１においては、
携帯型電子機器の本体と、該本体に着脱可能な付加部材との取り付け構造において、
前記本体には断面形状がＴ字状のレール部を形成するとともに、前記レール部の両外側に、前記レール部に沿った壁面を形成し、
前記付加部材には前記レール部と前記壁面との間に嵌まりこんだ状態でスライド可能なスライド部を形成し、
取り付け状態においては、前記レール部と前記壁面とで前記スライド部の内側と外側とが支持されるように構成した。
請求項２では、
携帯型電子機器の本体と、該本体に着脱可能な付加部材との取り付け構造において、
前記本体には断面空間の形状がＴ字状のレール部を形成し、
前記付加部材には断面形状がＴ字状で前記レール部に嵌合し得るスライド部と、
該スライド部の両外側に、前記レール部に沿った壁面を形成し、
取り付け状態においては、前記スライド部と前記壁面とで前記レール部の内側と外側とが支持されるように構成した。
【発明の効果】
【０００７】
本発明の請求項１では、
携帯型電子機器の本体には断面形状がＴ字状のレール部を形成するとともに、前記レール部の両外側に、前記レール部に沿った壁面を形成し、前記付加部材には前記レール部と前記壁面との間に嵌まりこんだ状態でスライド可能なスライド部を形成し、取り付け状態においては、前記レール部と前記壁面とで前記スライド部の内側と外側とが支持されるように取り付け構造を構成したので、
前記取り付け構造にねじれ方向の外力が加わっても、前記取り付け構造が破壊されることや外れてしまうことを防止する。
また、請求項２では、
携帯型電子機器の本体には断面空間の形状がＴ字状のレール部を形成し、前記付加部材には断面形状がＴ字状で前記レール部に嵌合し得るスライド部と、該スライド部の両外側に、前記レール部に沿った壁面を形成し、取り付け状態においては、前記スライド部と前記壁面とで前記レール部の内側と外側とが支持されるように取り付け構造を構成したので、請求項１の発明の場合と同様に、前記取り付け構造にねじれ方向の外力が加わっても、前記取り付け構造が破壊されることや外れてしまうことを防止する。
【発明を実施するための最良の形態】
【０００８】
以下に、本発明にかかる付加部材の取り付け構造を、その実施の形態を示した図面に基づいて詳細に説明する。
図１、２、３、４において、
１は携帯型トランシーバ、２はその背面に着脱可能なベルトクリップ部材である。携帯型トランシーバ１の背面に形成されたレール部３に、ベルトクリップ部材２の前面に形成されたスライド部４を嵌合させて取り付けるように取り付け構造５が構成されている。
図２に示したように、前記レール部３は、両側面に突出部31ａ、31ｂが形成された断面形状がＴ字状のレール部材31と、前記レール部材31の両外側に沿って形成された壁面32ａ、32ｂとを備えている。従って、前記レール部材31の両外側には、それぞれ溝33ａ，33ｂが形成される。この溝33ａ，33ｂの後端側は開口しているが、先端側には壁34ａ，34ｂ（図３、図４参照）が形成されている。
スライド部４は、前記突出部31ａ，31ｂを外側から抱え込むように勘合して、前記溝33ａ，33ｂに沿ってスライドするように凹部41ａ，41ｂが形成されている。
【０００９】
以上の構成によって、ベルトクリップ部材２を携帯型トランシーバ１に取り付けるときには、前記ベルトクリップ部材２の前記スライド部４の凹部41ａ，41ｂで、前記携帯型トランシーバ１の前記レール部３の突出部31ａ，31ｂを外側から抱え込むように勘合してスライドさせ、前記スライド部４の先端を、前記溝33ａ，33ｂの先端の壁34ａ，34ｂに当接させる。
【００１０】
前記ベルトクリップ部材２を携帯型トランシーバ１に取り付けた後、図１に示したように、バッテリー収納部15にカバー16を取り付ける。このとき、前記カバー16の前端によって、前記ベルトクリップ部材２のスライド部材４の後端を押さえるので、前記ベルトクリップ部材２が外れることが防止される。
なお、ベルトクリップ部材２を取り外すときには、先ず、前記カバー16をバッテリー収納部15から取り外してから、前記ベルトクリップ部材２を後方にスライドさせて取り外す。
【００１１】
なお、前記携帯型トランシーバ１は特許請求の範囲に記載された携帯型電子機器の本体に相当する構成であり、前記ベルトクリップ部材２は特許請求の範囲に記載された付加部材に相当する構成である。
【００１２】
以上のようにして、前記ベルトクリップ部材２が携帯型トランシーバ１に取り付けられた状態では、ベルトクリップ部材２のスライド部４の先端は、強度のある前記溝33ａ，33ｂの先端の壁34ａ，34ｂに当接しているので前方へ動くことはできない。また、スライド部４の後端は、強度のある前記カバー16に当接しているので後方へ動くことはできない。また、スライド部４の内側は、強度のある前記レール部３の突出部31ａ，31ｂを外側から抱え込むように勘合しているので、内側へ動くことはできない。また、スライド部４の外側は、強度のある前記溝33ａ，33ｂの外側の壁面32ａ、32ｂに規制されているので、外側へ動くことはできない。さらに、スライド部４の内側は、強度のある前記レール部３の突出部31ａ，31ｂを外側から抱え込むように勘合していることで、スライド部４が前記携帯型トランシーバ１の背面から垂直へ外れる方向へも動くこともできない。
【００１３】
以上のように、ベルトクリップ部材２のスライド部４の周囲は強度のある部材で規制されているので、前記レール部３に対して何れの方向へ外れることも確実に防止される。
特に、従来のベルトクリップ部材の場合に外れやすかった側面方向と、後方とが、それぞれ前記溝33ａ，33ｂの外側の壁面32ａ、32ｂと、前記カバー16の先端とで堅く規制されて十分な強度が保たれているので、ベルトクリップ部材２によって衣服等に装着して使用中に、ベルトクリップ部材２と携帯型トランシーバ１とが外れることは防止されるのである。
【実施例１】
【００１４】
本発明の実施例１では、図３に示したように、前記レール部３に凸部35を設け、前記ベルトクリップ部材のスライド部４には、前記凸部35に係合し得る板バネ42を設けた。前記ベルトクリップ部材２を前記携帯型トランシーバ１に取り付けた状態では、前記板バネ42の係止突起43が、前記レール部３の凸部35に係合するように構成されている。従って、前記ベルトクリップ部材２を前記携帯型トランシーバ１に取り付けた状態では、前記カバー16を取り外しても、前記ベルトクリップ部材２が不用意に外れることは防止される。
そして、前記ベルトクリップ部材２を取り外すときは、前記カバー16を取り外して、さらに、前記板バネ42の先端片44をつまんで、係止突起43と凸部35との係合を解除してから、スライド部４をスライドさせて取り外すように構成されている。
【実施例２】
【００１５】
本発明の実施例２では、図５に示したように、携帯型トランシーバ１Ｂの背面に断面空間の形状がＴ字状のレール部３Ｂを形成し、ベルトクリップ部材２Ｂには断面形状がＴ字状で前記レール部３Ｂに嵌合し得るスライド部４Ｂと、該スライド部４Ｂの両外側に、前記スライド部４Ｂに沿った壁面36Ｂを形成し、前記携帯型トランシーバ１Ｂと前記ベルトクリップ部材２Ｂとの取り付け状態においては、強度のある前記スライド部４Ｂと前記壁面36Ｂとで前記レール部３Ｂの内側と外側とが支持されるように、取り付け構造５Ｂを構成した。
この場合も、実施例１と同様に、前記携帯型トランシーバ１Ｂと前記ベルトクリップ部材２Ｂとの取り付け状態においては、強度のある前記スライド部４Ｂと前記壁面36Ｂとで前記レール部３Ｂの内側と外側とが支持されるので、使用中に前記ベルトクリップ部材２Ｂが外れることは防止される。
【００１６】
なお、前記携帯型トランシーバ１Ｂは特許請求の範囲に記載された携帯型電子機器の本体に相当する構成であり、前記ベルトクリップ部材２Ｂは特許請求の範囲に記載された付加部材に相当する構成である。
【産業上の利用可能性】
【００１７】
本発明の付加部材の取り付け構造は、携帯型トランシーバ等の電子機器全般において、ベルトクリップ部材等の付加部材の取り付けに利用することが可能である。
【図面の簡単な説明】
【００１８】
【図１】本発明にかかる付加部材の取り付け構造の実施の形態の全体斜視図である。
【図２】前記付加部材の取り付け構造の分解斜視図である。
【図３】前記付加部材の取り付け構造の分解した状態の背面から見た斜視図である。
【図４】前記付加部材の取り付け構造の要部の断面図である。
【図５】前記付加部材の取り付け構造の第２実施例の要部の断面図である。
【符号の説明】
【００１９】
１、１Ｂ  携帯型トランシーバ
２、２Ｂ  ベルトクリップ部材
３、３Ｂ  レール部
４、４Ｂ  スライド部
５、５Ｂ  取り付け構造
32ａ、32ｂ、36Ｂ  壁面
【図１】
2005214332.tif 000003
【図２】
2005214332.tif 000004
【図３】
2005214332.tif 000005
【図４】
2005214332.tif 000006
【図５】
2005214332.tif 000007